(57)【要約】      （修正有）【課題】安全カバーを射出成形機から一旦取外して後の仮置き場所を射出成形機に確保することが可能な安全カバーを有する射出成形機を提供する。【解決手段】射出成形機１は、ベースフレーム２上に配置された機構部を第１，第２安全カバー４Ａ，４Ｂによって作業員から隔離して作業員を保護し、第１安全カバー４Ａは穴を開けた上部折り曲げ部を有し、ベースフレーム２には突起部が設けられる。第１安全カバー４Ａを射出成形機１から一旦取り外した後、ベースフレーム２の上面に上部折り曲げ部を引っ掛け、突起部を穴に挿入して係合させ、第１安全カバー４Ａを仮置きする。【選択図】図１
0003178426.tif 000002
【実用新案登録請求の範囲】
【請求項１】
ベースフレーム上に配置された機構部から作業員を保護する安全カバーを有する射出成形機において、
前記安全カバーは上部折り曲げ部を有し、
前記安全カバーを前記射出成形機から一旦取り外した後、前記ベースフレーム上面に前記上部折り曲げ部を引っ掛けて仮置きすることを特徴とする安全カバーを有する射出成形機。
【請求項２】
前記上部折り曲げ部に穴を設け、前記ベースフレーム上面に突起部を設け、該突起部に前記上部折り曲げ部の穴を挿入して係合させることを特徴とする請求項１に記載の安全カバーを有する射出成形機。
【請求項３】
前記ベースフレーム上面または側面にねじ穴を設け、
前記安全カバーに前記ねじ穴に対応する穴を設け、
前記ねじ穴に対応して前記安全カバーに設けられた穴と前記ねじ穴を位置合わせし、前記ねじ穴に前記安全カバーに設けられた穴を介してねじを螺合することを特徴とする請求項１または２のいずれか一つに記載の安全カバーを有する射出成形機。
【請求項４】
ベースフレーム上に配置された機構部を作業員から隔離する安全カバーを有する射出成形機において、
前記安全カバーは上部折り曲げ部を有し、
前記安全カバーを前記射出成形機から一旦取り外した後、前記ベースフレームを保護するために該ベースフレームに取り付けられた下部カバー枠に前記上部折り曲げ部を引っ掛けて仮置きすることを特徴とする安全カバーを有する射出成形機。
【請求項５】
前記上部折り曲げ部に穴を設け、前記下部カバー枠の上面に突起部を設け、該突起部に前記上部折り曲げ部の穴を挿入して係合させることを特徴とする請求項４に記載の安全カバーを有する射出成形機。
【請求項６】
前記下部カバー枠上面または側面にねじ穴を設け、
前記安全カバーに前記ねじ穴に対応する穴を設け、
前記ねじ穴に対応して前記安全カバーに設けられた穴と前記ねじ穴を位置合わせし、前記ねじ穴に前記安全カバーに設けられた穴を介してねじを螺合することを特徴とする請求項４または５のいずれか一つに記載の安全カバーを有する射出成形機。
【請求項７】
ベースフレーム上に配置された機構部から作業員を保護する複数枚の安全カバーを有する射出成形機において、
前記複数枚の安全カバーは、穴を設けた第１安全カバーとねじをねじ込むなどにより形成した突起部を設けた第２安全カバーを含み、
前記第１安全カバーを前記射出成形機から一旦取り外した後、前記第２安全カバーの前記突起部に、前記第１安全カバーの前記穴を挿入して係合させ、該第１安全カバーを仮置きすることを特徴とする安全カバーを有する射出成形機。
【請求項８】
ベースフレーム上に配置された機構部から作業員を保護する安全カバーを有する射出成形機において、
前記安全カバーに穴を設け、
前記ベースフレームの側面に突起物を設け、前記安全カバーの穴を該突起物に挿入して係合させて、該安全カバーを仮置きすることを特徴とする安全カバーを有する射出成形機。
【請求項９】
ベースフレーム上に配置された機構部から作業員を保護する安全カバーを有する射出成形機において、
前記安全カバーに穴を設け、
前記ベースフレームを保護するために取り付けられた下部カバー枠の側面にねじをねじ込むなどにより形成した突起物を設け、前記安全カバーの穴を該突起物に挿入して係合させて、該安全カバーを仮置きすることを特徴とする安全カバーを有する射出成形機。
【考案の詳細な説明】
【技術分野】
【０００１】
本考案は、安全カバーを有する射出成形機に関し、特に、射出成形機から取外した安全カバーの設置場所が決められている安全カバーを有する射出成形機に関する。
【背景技術】
【０００２】
図１０は従来の安全カバーを有する射出成形機の外観を説明する図である。図１１は安全カバーを外した射出成形機を説明する図である。図１２は射出ユニットをスイベルさせた場合を説明する図である。図１３は図１２の上面図である。射出成形機１は、図１０に示されるように、ベースフレーム２の上枠３の上面に射出ユニット５（図１１参照）や型締ユニットなどの機構部が載置されている。安全カバー４（４Ａ，４Ｂ）は、作業者を保護するために、型締ユニットを作業者から隔離する部材である。  
安全カバーを有する射出成形機として、例えば、特許文献１には、ベースフレーム上に射出ユニットと型締ユニットの機構部を載置し、安全カバーによって該機構部を作業者から隔離する射出成形機が開示されている。
【先行技術文献】
【特許文献】
【０００３】
【特許文献１】特許第２７１９８６７号公報
【考案の概要】
【考案が解決しようとする課題】
【０００４】
図１０に示す射出成形機では、機構部の一つである射出ユニット５のメンテナンスのために第１安全カバー４Ａを射出成形機１から取外すことがある。メンテナンスの事例として射出ユニット５に備わった射出シリンダ６のメンテナンスについて説明する。作業時には、図１１に示されるように第１安全カバー４Ａを射出成形機１から取外し、図１２，図１３に示されるように射出ユニット５をスイベル装置（図示せず）によってスイベルさせる。射出ユニット５をスイベルさせた後、射出シリンダ６を射出ユニット５から取り外す（図１３参照）。この時、取外された第１安全カバー４Ａは射出成形機１が設置されている工場内のどこかに床置きされるか工場内の壁に立て掛けて仮置きされることが多い。工場内の壁に立て掛けると倒れてくる場合もあるし、１０Ｋｇ以上の第１安全カバー４Ａもあるので運搬中に危険が伴う。  
そこで、本考案は、上記従来技術の問題点に鑑み、安全カバーを射出成形機から一旦取外して後の仮置き場所を射出成形機に確保することが可能な安全カバーを有する射出成形機を提供することを課題とする。
【課題を解決するための手段】
【０００５】
本願の請求項１に係る考案は、ベースフレーム上に配置された機構部から作業員を保護する安全カバーを有する射出成形機において、前記安全カバーは上部折り曲げ部を有し、前記安全カバーを前記射出成形機から一旦取り外した後、前記ベースフレーム上面に前記上部折り曲げ部を引っ掛けて仮置きすることを特徴とする安全カバーを有する射出成形機である。  
請求項２に係る考案は、前記上部折り曲げ部に穴を設け、前記ベースフレーム上面に突起部を設け、該突起部に前記上部折り曲げ部の穴を挿入して係合させることを特徴とする請求項１に記載の安全カバーを有する射出成形機である。  
請求項３に係る考案は、前記ベースフレーム上面または側面にねじ穴を設け、前記安全カバーに前記ねじ穴に対応する穴を設け、前記ねじ穴に対応して前記安全カバーに設けられた穴と前記ねじ穴を位置合わせし、前記ねじ穴に前記安全カバーに設けられた穴を介してねじを螺合することを特徴とする請求項１または２のいずれか一つに記載の安全カバーを有する射出成形機である。
【０００６】
請求項４に係る考案は、ベースフレーム上に配置された機構部を作業員から隔離する安全カバーを有する射出成形機において、前記安全カバーは上部折り曲げ部を有し、前記安全カバーを前記射出成形機から一旦取り外した後、前記ベースフレームを保護するために該ベースフレームに取り付けられた下部カバー枠に前記上部折り曲げ部を引っ掛けて仮置きすることを特徴とする安全カバーを有する射出成形機である。  
請求項５に係る考案は、前記上部折り曲げ部に穴を設け、前記下部カバー枠の上面に突起部を設け、該突起部に前記上部折り曲げ部の穴を挿入して係合させることを特徴とする請求項４に記載の安全カバーを有する射出成形機である。  
請求項６に係る考案は、前記下部カバー枠上面または側面にねじ穴を設け、前記安全カバーに前記ねじ穴に対応する穴を設け、前記ねじ穴に対応して前記安全カバーに設けられた穴と前記ねじ穴を位置合わせし、前記ねじ穴に前記安全カバーに設けられた穴を介してねじを螺合することを特徴とする請求項４または５のいずれか一つに記載の安全カバーを有する射出成形機である。
【０００７】
請求項７に係る考案は、ベースフレーム上に配置された機構部から作業員を保護する複数枚の安全カバーを有する射出成形機において、前記複数枚の安全カバーは、穴を設けた第１安全カバーとねじをねじ込むなどにより形成した突起部を設けた第２安全カバーを含み、前記第１安全カバーを前記射出成形機から一旦取り外した後、前記第２安全カバーの前記突起部に、前記第１安全カバーの前記穴を挿入して係合させ、該第１安全カバーを仮置きすることを特徴とする安全カバーを有する射出成形機である。  
請求項８に係る考案は、ベースフレーム上に配置された機構部から作業員を保護する安全カバーを有する射出成形機において、前記安全カバーに穴を設け、前記ベースフレームの側面に突起物を設け、前記安全カバーの穴を該突起物に挿入して係合させて、該安全カバーを仮置きすることを特徴とする安全カバーを有する射出成形機である。  
請求項９に係る考案は、ベースフレーム上に配置された機構部から作業員を保護する安全カバーを有する射出成形機において、前記安全カバーに穴を設け、前記ベースフレームを保護するために取り付けられた下部カバー枠の側面にねじをねじ込むなどにより形成した突起物を設け、前記安全カバーの穴を該突起物に挿入して係合させて、該安全カバーを仮置きすることを特徴とする安全カバーを有する射出成形機である。
【考案の効果】
【０００８】
本考案により、安全カバーを射出成形機から一旦取外して後の仮置き場所を射出成形機に確保することが可能な安全カバーを有する射出成形機を提供できる。
【図面の簡単な説明】
【０００９】
【図１】安全カバーを上下移動させる実施形態を説明する図である。
【図２】安全カバーを上下移動させる実施形態を説明する図である（安全カバー上面）。
【図３】安全カバーを上下移動させる実施形態を説明する図である（安全カバー側面）。
【図４】安全カバーを横移動させる実施形態を説明する図である。
【図５】安全カバーを横移動させる実施形態を説明する図である（安全カバー側面）。
【図６】安全カバーを横移動させる実施形態を説明する図である（カバー穴）。
【図７】ベースフレームに下部カバー枠を取り付けた場合を説明する図である。
【図８】ベースフレームに取り付けた下部カバー枠に第１安全カバーを仮置きした状態を説明する図である。
【図９】第１安全カバーと下部カバー枠の仮留箇所を拡大して説明する図である。
【図１０】従来の安全カバーを有する射出成形機の外観を説明する図である。
【図１１】安全カバーを外した射出成形機を説明する図である。
【図１２】射出ユニットをスイベルさせた場合を説明する図である。
【図１３】図１２の上面図である。
【考案を実施するための形態】
【００１０】
以下、本考案について図を参照して説明する。なお、従来技術と同じ若しくは類似する構成について同じ符号を用いて説明する。  
まず、安全カバーを上下方向に移動させる本考案の実施形態を説明する。  
図１は安全カバーを上下移動させる実施形態を説明する図である。射出成形機１において、ベースフレーム２の上枠３の上面に射出ユニット５や型締ユニット（図示せず）の機構部が載置されている。ベースフレーム２は、型鋼材を縦横に組み合わせ溶接により固定した頑丈な枠構造体である。射出ユニット５や型締ユニットの機構部は、作業者を保護するために、１枚以上の安全カバーによって作業者から隔離されている。射出ユニット５の場合、安全カバー４（第１安全カバー４Ａ，第２安全カバー４Ｂ）によって作業者から隔離されている。なお、射出成形機１には安全カバー４（第１安全カバー４Ａ，第２安全カバー４Ｂ）の他に、型締ユニット（図示せず）を作業者から隔離するための安全カバーも取り付けられている。
【００１１】
以下の本考案の説明では、安全カバー４を例として説明する。射出ユニット５のメンテナンスのため、第１安全カバー４Ａを射出成形機１から取外す場合を考える。前述したように、図１は安全カバーを上下移動させる実施形態を説明する図である。図２は安全カバーを上下移動させる実施形態を説明する図である（安全カバー上面）。図３は安全カバーを上下移動させる実施形態を説明する図である（安全カバー側面）。
【００１２】
射出ユニット５をメンテナンスのためにスイベル装置（図示せず）によりスイベルできるように、第１安全カバー４Ａを一旦射出成形機１から取外す。取外した第１安全カバー４Ａを射出成形機１の下方向に移動して仮置きする。第１安全カバー４Ａは正面からみて後ろ側に向かって折り曲げられた上部折り曲げ部１０を備えている。図１に示されるように、第１安全カバーを下方向に移動して仮置きする場合、第１安全カバー４Ａの上部折り曲げ部１０を、ベースフレーム２を構成する上枠３の上面に引っ掛ける。これにより、射出成形機１に取り付けられていた第１安全カバー４Ａを容易に移動できる。なお、上枠３もベースフレーム２を構成する要素であるので、第１安全カバーをベースフレーム上面に引っ掛けるということができる。
【００１３】
上部折り曲げ部１０に図２に示されるように１つ以上の穴１２を開ける。一方、ベースフレーム２の上面（上枠３の上面）に１つ以上の突起部２０を設ける。それぞれの突起部２０に上部折り曲げ部１０に設けられた穴１２を挿入して係合させる。これによって、仮置きされた第１安全カバー４Ａが、ベースフレーム２の上面から脱落することがない。なお、ベースフレーム２の上面に設けられる突起部２０は、ベースフレーム２の上面にねじ穴を設け、該ねじ穴にねじ込まれたねじによって着脱式に形成されてもよい。
【００１４】
図３は安全カバーを上下移動させる実施形態を説明する図である（安全カバー側面）。図２に示される穴１２と突起部２０による係合に加えて、ねじ２４を用いて第１安全カバー４Ａをベースフレーム２に固定する。ねじ２４は射出ユニット５を作業者から隔離するために第１安全カバー４Ａを所定の位置に固定するために使用されるものを使用することができる。なお、ねじ２４を用いて固定する場合、第１安全カバー４Ａにねじ２４を挿通する穴（図示せず）を設ける位置は、図３に示されるように第１安全カバー４Ａの側面であってもよいし、上部折り曲げ部１０であってもよい。なお、ベースフレーム２には第１安全カバー４Ａに設けられたねじ２４を挿通する穴に対応する位置にねじ穴（図示せず）を設けるとよい。
【００１５】
突起部２０に加えて、ねじ２４を用いて第１安全カバー４Ａをベースフレーム２に固定できるので、仮置きした場合に、第１安全カバー４Ａの脱落を確実に防止できる。また、第１安全カバー４Ａを射出成形機１の射出ユニット５の保護のために取り付ける際に使用されるねじ２４を、第１安全カバー４Ａを仮置きする場合にも利用することで、ねじ２４の散逸を防ぐことができる。
【００１６】
次に、安全カバーを水平に移動する本考案の実施形態を説明する。図４は安全カバーを横移動させる実施形態を説明する図である。図５は安全カバーを横移動させる実施形態を説明する図である（安全カバー側面）。図６は安全カバーを横移動させる実施形態を説明する図である（カバー穴）。第１安全カバー４Ａを射出成形機１の水平方向に移動させて仮置きする。上部折り曲げ部１０を有する第１安全カバー４Ａを水平方向に移動して第２安全カバー４Ｂに重ねて仮置きする場合、第１安全カバー４Ａの上部折り曲げ部１０が障害にならないように、裏表を逆にした上で第１安全カバー４Ａを第２安全カバー４Ｂに重ねる。なお、上部折り曲げ部１０を有しない安全カバーの場合には裏表を反転しなくても、両方のカバーを重ね合わせることができる。
【００１７】
図５に示されるように第１安全カバー４Ａの側面に少なくとも２つのだるま穴１４（図６参照）を設ける。第２安全カバー４Ｂには、第１安全カバー４Ａのだるま穴１４に挿入して係合させるためのねじ２６をねじ込むねじ穴が設けられている。また、第２安全カバー４Ｂには、ねじ２４をねじ込むためのねじ穴（図示せず）が設けられてもよい。第２安全カバー４Ｂに設けられたねじ穴（図示せず）にねじ２６をねじ込むことによって、突起部が第２安全カバー４Ｂに構成される。ねじ２６の頭部がだるま穴１４の径よりも小さくなっている箇所で係合することで、第１安全カバー４Ａが第２安全カバー４Ｂから外れることがない。また、ねじ２４によって第１安全カバー４Ａと第２安全カバー４Ｂとを固定することにより、第１安全カバー４Ａの落下を確実に防止できる。なお、第２安全カバー４Ｂにねじ２６をねじ込むことに替えて、可能であれば突起部を設けるようにしてもよい。
【００１８】
次に、ベースフレーム２に該ベースフレーム２を保護する下部カバー枠３０を取り付けた場合の本考案の実施形態を説明する。ベースフレーム２を保護するために下部カバー枠３０をベースフレーム２に取り付ける場合がある。図７はベースフレームに下部カバー枠を取り付けた場合を説明する図である。図８はベースフレームに取り付けた下部カバー枠に第１安全カバーを仮置きした状態を説明する図である。図９は第１安全カバーと下部カバー枠の仮留箇所を拡大して説明する図である。この場合、下部カバー枠３０の上面あるいは側面にねじ穴あるいは突起部を設ける。図８，図９に示される実施形態では、ベースフレーム２に固定される下部カバー枠３０の上面に突起部３２が設けられている。また、ねじ２４をねじ込むためのねじ穴３４が下部カバー枠３０の上面に設けられている。第１安全カバー４Ａの上部折り曲げ部１０には、下部カバー枠３０に設けられた位置合わせの突起部３２とねじ穴３４にねじこむための穴１２とねじ穴２４が設けられている。
【００１９】
第１安全カバー４Ａを射出成形機１から一旦取り外した後、下部カバー枠３０の上面に設けられた突起部３２を第１安全カバー４Ａに設けられた穴１２に挿入して係合させ、ベースフレーム２を保護するために該ベースフレーム２に取り付けられた下部カバー枠３０に上部折り曲げ部１０を引っ掛けて仮置きすることができる。そして、ねじ２４を第１安全カバー４Ａに設けられた穴を介して下部カバー枠３０に設けられたねじ穴３４にねじ込むことによって、第１安全カバー４Ａが脱落するのを防止できる。
【００２０】
上述したように本考案に実施形態の射出成形機では、重量のある安全カバーであっても、上から下への上下移動や、左から右といった横移動の場合、射出成形機から取外した安全カバーを持っている時間を短くすることができ作業が楽になる。また、取外した安全カバーの置き場所を決めておくことで、上から下へ移動させ、その位置で仮置き可能となる。あるいは、上下方向の移動がスペース上出来ない場合、左右への移動により安全カバーを重ねて設置出来る。本考案は、安全カバーに折り曲げ部を有するものおよび折り曲げ部を有しないものにも適用できる。
【符号の説明】
【００２１】
１  射出成形機
２  ベースフレーム
３  上枠
４  安全カバー
４Ａ  第１安全カバー
４Ｂ  第２安全カバー
５  射出ユニット
６  射出シリンダ
１０  上部折り曲げ部
１２  穴
１４  だるま穴
２０  突起部
２４  ねじ
２６  ねじ
３０  下部カバー枠
３２  突起部
３４  ねじ穴
【図１】
0003178426.tif 000003
【図２】
0003178426.tif 000004
【図３】
0003178426.tif 000005
【図４】
0003178426.tif 000006
【図５】
0003178426.tif 000007
【図６】
0003178426.tif 000008
【図７】
0003178426.tif 000009
【図８】
0003178426.tif 000010
【図９】
0003178426.tif 000011
【図１０】
0003178426.tif 000012
【図１１】
0003178426.tif 000013
【図１２】
0003178426.tif 000014
【図１３】
0003178426.tif 000015